(57)【要約】      （修正有）【課題】ユーザーが実店舗でお薦め商品広告を見て、表示画面上にて提供される商品バーコードをスキャンしてインターネット上で注文し、その場で購入手続きを行える、画像識別機能を備えてマルチメディアショッピング機能を組み合わせたディスプレイシステムを提供する。【解決手段】商品を置くのに用いられるディスプレイラック１２を含み、各ディスプレイラックは、ユーザーの顔画像を取り込む画像取込装置１４と、画像取込装置に電気的接続され、顔画像を受信するとともに顔認識を行い、設定条件に基づき複数の商品広告の中から顔画像に適合するものを検索するコントローラー１６と、コントローラーに電気的接続され、顔画像に適合した商品広告及び対応する商品バーコードを表示し、ユーザーがモバイルデバイスを用いて商品バーコードをスキャンすることにより購入または予約購入を行えるようにする表示画面１８とを含む。【選択図】図１
0003215597.tif 000002
【実用新案登録請求の範囲】
【請求項１】
商品を置くのに用いられる少なくとも１つのディスプレイラックを含み、
前記ディスプレイラックはそれぞれ、
ユーザーの顔画像を取り込む画像取込装置と、
前記画像取込装置に電気的接続され、前記顔画像を受信するとともに顔認識を行い、少なくとも１つの設定条件に基づき複数の商品広告の中から前記顔画像に適合するものを少なくとも１つ検索する、コントローラーと、
前記コントローラーに電気的接続され、前記ユーザーの前記顔画像に適合した前記少なくとも１つの商品広告及び対応する商品バーコードを表示し、前記ユーザーがモバイルデバイスを用いて前記商品バーコードをスキャンすることにより購入または予約購入を行えるようにする、表示画面と、
を含む、画像識別機能を備えてマルチメディアショッピング機能を組み合わせたディスプレイシステム。
【請求項２】
前記コントローラーは前記表示画面の後方ケース内に設けられる、請求項１に記載の画像識別機能を備えてマルチメディアショッピング機能を組み合わせたディスプレイシステム。
【請求項３】
前記少なくとも１つの設定条件には性別及び年齢層が含まれる、請求項１に記載の画像識別機能を備えてマルチメディアショッピング機能を組み合わせたディスプレイシステム。
【請求項４】
前記表示画面上には、前記商品広告の音声を再生して販売促進および音声ショッピングガイドを行うスピーカーが設けられる、請求項１に記載の画像識別機能を備えてマルチメディアショッピング機能を組み合わせたディスプレイシステム。
【請求項５】
前記ディスプレイラック上に設けられ、少なくとも１つの後端サーバーに信号的接続されるレジスターホストをさらに含み、前記ユーザーが前記モバイルデバイスを携帯していない場合、前記ユーザーは前記レジスターホストを操作して購入または予約購入を行う、請求項１に記載の画像識別機能を備えてマルチメディアショッピング機能を組み合わせたディスプレイシステム。
【請求項６】
前記レジスターホストは前記ディスプレイラックの中間台上に設けられる、請求項５に記載の画像識別機能を備えてマルチメディアショッピング機能を組み合わせたディスプレイシステム。
【請求項７】
前記レジスターホストは、前記商品のパッケージの二次元バーコードをスキャンして前記レジスターホストに入力するスキャナーを含む、請求項５に記載の画像識別機能を備えてマルチメディアショッピング機能を組み合わせたディスプレイシステム。
【請求項８】
前記レジスターホスト上には、精算金額を表示する表示装置が設置される、請求項５に記載の画像識別機能を備えてマルチメディアショッピング機能を組み合わせたディスプレイシステム。
【請求項９】
前記レジスターホストはタッチパネル式ホスト又は一般的なコンピューターホストである、請求項５に記載の画像識別機能を備えてマルチメディアショッピング機能を組み合わせたディスプレイシステム。
【請求項１０】
前記モバイルデバイスにはショッピングアプリケーションがインストールされ、当該ショッピングアプリケーションのバーコードスキャン機能を用いて前記商品の前記商品バーコードをスキャンするとともに、前記商品を前記ショッピングアプリケーションのショッピングカートに入れる、請求項１に記載の画像識別機能を備えてマルチメディアショッピング機能を組み合わせたディスプレイシステム。
【請求項１１】
前記ユーザーは前記モバイルデバイスの前記ショッピングアプリケーションにおいて支払い方法を選択し、前記支払い方法にはクレジットカード払い、銀行振り込み、宅配受け取り時の代金引換、店頭受け取り時の代金引換等が含まれる、請求項１０に記載の画像識別機能を備えてマルチメディアショッピング機能を組み合わせたディスプレイシステム。
【請求項１２】
前記ユーザーは前記モバイルデバイスの前記ショッピングアプリケーションにおいて商品受け取り方法を選択し、前記商品受け取り方法には宅配、郵送、店頭受け取り等が含まれる、請求項１０に記載の画像識別機能を備えてマルチメディアショッピング機能を組み合わせたディスプレイシステム。
【請求項１３】
前記商品バーコードはＱＲコード（登録商標）である、請求項１に記載の画像識別機能を備えてマルチメディアショッピング機能を組み合わせたディスプレイシステム。
【請求項１４】
前記コントローラーは、インターネットを通じて少なくとも１つの後端サーバーと信号的接続され、前記ユーザーの前記顔画像から認識された特徴、適合した前記少なくとも１つの商品広告及び前記ユーザーの購入記録を前記少なくとも１つの後端サーバーに伝送し、ビッグデータ分析を行う、請求項１に記載の画像識別機能を備えてマルチメディアショッピング機能を組み合わせたディスプレイシステム。
【請求項１５】
前記表示画面は一般的なディスプレイ又はタッチパネルスクリーンである、請求項１に記載の画像識別機能を備えてマルチメディアショッピング機能を組み合わせたディスプレイシステム。
【請求項１６】
前記表示画面がタッチパネルスクリーンである場合、前記表示画面上には前記ユーザーがタップできるように複数の機能ボタンが表示される、請求項１５に記載の画像識別機能を備えてマルチメディアショッピング機能を組み合わせたディスプレイシステム。
【請求項１７】
前記画像取込装置はカメラ、ビデオカメラ又はウェブカメラ（Ｗｅｂｃａｍ）である、請求項１に記載の画像識別機能を備えてマルチメディアショッピング機能を組み合わせたディスプレイシステム。
【考案の詳細な説明】
【技術分野】
【０００１】
本考案は、ディスプレイラックに関し、特に、画像識別機能を備えてマルチメディアショッピング機能を組み合わせたディスプレイシステムに関する。
【背景技術】
【０００２】
消費習慣の変化に伴い、例えば家の中でのインターネットショッピングや、実店舗に行って買い物する際のモバイルデバイスの決済ソフトによる支払いのような、電子ショッピングの利用がますます習慣化している。
【０００３】
実店舗の利点は実際の商品を直接見られることにあるが、同じタイプの商品が多数ある場合は、どれがより良いかわからず、店員にアドバイスをもらったり携帯電話を使ってインターネットで調べたりする必要があり、時間を浪費してしまう。また実店舗においては、レジが混んでいる場合に待ち時間が長くなるという問題もあるので、実店舗で手にした商品をその場でモバイルデバイスにより直接精算ができれば、消費者が精算に要する時間を大幅に節約でき、店舗の人件費負担も軽減できる。
【０００４】
したがって、上述の問題を効果的に解決すべく、本考案の画像識別機能を備えてマルチメディアショッピング機能を組み合わせたディスプレイシステムを提案する。具体的な構造及びその実施形態については以下に詳述する。
【考案の概要】
【考案が解決しようとする課題】
【０００５】
本考案の主な目的は、画像認識及び広告プッシュ機能を備える表示モジュールをディスプレイラック上に設置することで、ユーザーの顔の特徴を認識した後にお薦め商品広告を表示し、ユーザーの購買意欲を高められる、画像識別機能を備えてマルチメディアショッピング機能を組み合わせたディスプレイシステムを提供することにある。
【０００６】
本考案のもう１つの目的は、ディスプレイラック上に表示された商品広告及び商品バーコードとモバイルデバイス中のショッピングアプリケーションをリンクさせ、モバイルデバイスを用いて商品バーコードをスキャンすることで、店舗にてモバイルデバイスによる購入又は予約購入が行える、画像識別機能を備えてマルチメディアショッピング機能を組み合わせたディスプレイシステムを提供することにある。
【課題を解決するための手段】
【０００７】
上述の目的を達成するため、本考案が提供する画像識別機能を備えてマルチメディアショッピング機能を組み合わせたディスプレイシステムは、商品を置くのに用いられる少なくとも１つのディスプレイラックを含み、各前記ディスプレイラックはそれぞれ画像取込装置、コントローラー及び表示画面を含む。前記画像取込装置は、ユーザーの顔画像を取り込むのに用いられる。前記コントローラーは、前記画像取込装置に電気的接続され、前記顔画像を受信するとともに顔認識を行い、少なくとも１つの設定条件に基づき複数の商品広告の中から前記顔画像に適合するものを少なくとも１つ検索する。前記表示画面は、前記コントローラーに電気的接続され、前記顔画像に適合した前記商品広告及び対応する商品バーコードを表示し、前記ユーザーがモバイルデバイスを用いて前記商品バーコードをスキャンすることにより購入または予約購入を行えるようにする。
【０００８】
前記コントローラーは前記表示画面の後方ケース内に設けられる。
【０００９】
前記少なくとも１つの設定条件には性別及び年齢層が含まれる。
【００１０】
前記表示画面上には、前記商品広告の音声を再生して販売促進および音声ショッピングガイドを行うスピーカーが設けられる。
【００１１】
本考案は、前記ディスプレイラック上に設けられて少なくとも１つの後端サーバーに信号的接続されるレジスターホストをさらに含み、前記ユーザーが前記モバイルデバイスを携帯していない場合、前記ユーザーは前記レジスターホストを操作して購入または予約購入を行う。
【００１２】
さらに、前記レジスターホストは前記ディスプレイラックの中間台上に設けられる。前記レジスターホストはタッチパネル式ホスト又は一般的なコンピューターホストである。
【００１３】
前記レジスターホストは、前記商品のパッケージの二次元バーコードをスキャンして前記レジスターホストに入力するスキャナーを含む。前記レジスターホスト上には、精算金額を表示する表示装置が設置される。
【００１４】
本考案において、前記モバイルデバイスにはショッピングアプリケーションがインストールされ、当該ショッピングアプリケーションのバーコードスキャン機能を用いて前記商品の前記商品バーコードをスキャンするとともに、前記商品を前記ショッピングアプリケーションのショッピングカートに入れる。
【００１５】
続いて、前記ユーザーは前記モバイルデバイスの前記ショッピングアプリケーションにおいて支払い方法を選択し、前記支払い方法にはクレジットカード払い、銀行振り込み、宅配受け取り時の代金引換、店頭受け取り時の代金引換等が含まれる。
【００１６】
さらに、前記ユーザーは前記モバイルデバイスの前記ショッピングアプリケーションにおいて商品受け取り方法を選択し、前記商品受け取り方法には宅配、郵送、店頭受け取り等が含まれる。
【００１７】
本考案の実施例において、前記商品バーコードはＱＲコード（登録商標）である。
【００１８】
本考案の実施例において、前記コントローラーは、インターネットを通じて少なくとも１つの後端サーバーと信号的接続され、前記ユーザーの前記顔画像から認識された特徴、適合した前記少なくとも１つの商品広告及び前記ユーザーの購入記録を前記少なくとも１つの後端サーバーに伝送し、統計及びビッグデータ分析を行う。
【００１９】
前記表示画面は一般的なディスプレイ又はタッチパネルスクリーンである。前記表示画面がタッチパネルスクリーンである場合、前記表示画面上には前記ユーザーがタップできるように複数の機能ボタンが表示される。
【００２０】
前記画像取込装置はカメラ、ビデオカメラ又はウェブカメラ（Ｗｅｂｃａｍ）である。
【考案の効果】
【００２１】
本考案が提供する画像識別機能を備えてマルチメディアショッピング機能を組み合わせたディスプレイシステムは、画像取込、画像認識及び広告プッシュ機能を組み合わせた表示モジュールがディスプレイラック上に設置され、ユーザーの顔の特徴を認識した後、ユーザーの条件に適合するお薦め商品広告を表示し、ユーザーの購買意欲を高められる。また、ディスプレイラック上に表示された商品広告及び商品バーコードとモバイルデバイス中のショッピングアプリケーションをリンクさせ、モバイルデバイスを用いて商品バーコードをスキャンすることで、店舗のその場でモバイルデバイスによる購入又は予約購入を行うことができ、店員のいるレジで精算する必要がない。
【図面の簡単な説明】
【００２２】
【図１】本考案の画像識別機能を備えてマルチメディアショッピング機能を組み合わせたディスプレイシステムの実施例の斜視図である。
【図２】本考案の画像識別機能を備えてマルチメディアショッピング機能を組み合わせたディスプレイシステムの実施例のブロック図である。
【図３】本考案の画像識別機能を備えてマルチメディアショッピング機能を組み合わせたディスプレイシステムの実施例の応用フローチャートである。
【図４】本考案の画像識別機能を備えてマルチメディアショッピング機能を組み合わせたディスプレイシステムの他の実施例の斜視図である。
【図５】本考案の画像識別機能を備えてマルチメディアショッピング機能を組み合わせたディスプレイシステムの他の実施例のブロック図である。
【図６】本考案の画像識別機能を備えてマルチメディアショッピング機能を組み合わせたディスプレイシステムの他の実施例の応用フローチャートである。
【考案を実施するための形態】
【００２３】
本考案は画像識別機能を備えてマルチメディアショッピング機能を組み合わせたディスプレイシステムを提供する。図１は本考案の画像識別機能を備えてマルチメディアショッピング機能を組み合わせたディスプレイシステム１０の実施例の斜視図であり、図２は同実施例のブロック図であるので、同時に参照されたい。本考案の画像識別機能を備えてマルチメディアショッピング機能を組み合わせたディスプレイシステム１０は商品を置くのに用いられるディスプレイラック１２を含み、ディスプレイラック１２上には画像取込装置１４、コントローラー１６及び表示画面１８を含む。画像取込装置１４は、カメラ、ビデオカメラ又はウェブカメラ（Ｗｅｂｃａｍ）であり、ユーザーの顔画像を取り込むのに用いられる。コントローラー１６は、計算機能を備えたコンピューターであり、画像取込装置１４と電気的接続され、画像取込装置１４が取り込んだ顔画像を受信するとともに顔認識を行う。また、コントローラー１６には複数の商品広告が保存され、性別、年齢層等のような設定条件が少なくとも１つ予め設けられ、異なる性別、年齢層は少なくとも１つの適合する商品広告に呼応し、コントローラー１６は設定条件に基づきこれらの商品広告の中からユーザーの顔画像に適合する商品広告を少なくとも１つ検索する。表示画面１８は、コントローラー１６に電気的接続され、顔画像に適合した商品広告を表示すると同時に、上記商品広告に対応する商品バーコードも表示する。本考案の一実施例において、商品バーコードはＱＲコードであり、ユーザーはモバイルデバイス（図示せず）を用いて商品バーコードをスキャンすることにより購入または予約購入を行う。
【００２４】
本考案において、コントローラー１６は、表示画面１８の後方ケース内に設けられるが、表示画面１８の外に独立してディスプレイラック１２中に隠されていてもよい。
【００２５】
表示画面１８上には、商品広告の音声を再生して販売促進および音声ショッピングガイドを行うスピーカー１９が設けられる。表示画面１８は、一般的なディスプレイ又はタッチパネルスクリーンであり、図１の実施例では直立で設置されている。表示画面１８がタッチパネルスクリーンである場合、表示画面１８上にはユーザーがタップできるように、例えば「人気商品」、「学生向け」、「最新商品予約」等の項目の機能ボタンが複数表示され、その中の１つの機能ボタンが選択されると、表示画面１８上に関連商品及びその商品バーコードがさらに表示され、ユーザーがスキャンして選択購入できるようになる。
【００２６】
ユーザーは、モバイルデバイスにショッピングアプリケーションをインストールし、このショッピングアプリケーションのバーコードスキャン機能を用いて商品バーコードをスキャンし、商品をショッピングアプリケーションのショッピングカートに入れることが可能である。最後の精算時に、ユーザーはモバイルデバイスのショッピングアプリケーションにおいて支払い方法及び商品受け取り方法を選択する。支払い方法にはクレジットカード払い、銀行振り込み、宅配受け取り時の代金引換、店頭受け取り時の代金引換等が含まれ、商品受け取り方法には宅配、郵送、店頭受け取り等が含まれる。
【００２７】
図３は本考案の画像識別機能を備えてマルチメディアショッピング機能を組み合わせたディスプレイシステムの実施例の応用フローチャートである。ステップＳ１０では、表示画面前を通りかかった、又はそこで立ち止まったユーザーの顔画像を画像取込装置がスキャンし、ステップＳ１２では、コントローラーが上記顔画像を受信するとともに顔認識を行い、例えば顔画像の特徴点を探し出し、その人が男性か女性か、どの年齢層に属するかを判断する。続いてステップＳ１４では、コントローラーが少なくとも１つの設定条件に基づき複数の商品広告の中から顔画像と適合する商品広告を検索し、ステップＳ１６では、表示画面により顔画像に適合した上記商品広告及び対応する商品バーコードを表示する。最後にステップＳ１８で述べるように、ユーザーはモバイルデバイスを用いて商品バーコードをスキャンした後、モバイルデバイス上で購入または予約購入を行うことができる。
【００２８】
例を挙げると、２３歳の女性ユーザーがディスプレイラック前に立ち止まると、画像取込装置は彼女の顔画像を取り込んだ後、顔認識により、その人が女性であり、２０〜３０歳の年齢層に属すると判断し、保存されている商品広告の中から「女性」、「２０〜３０歳の年齢層」に適合する商品を選び出し、商品広告を表示してユーザーに見せる。ユーザーは上記商品を気に入ったら、モバイルデバイスにインストールされたショッピングアプリケーションを開き、上記商品バーコードをスキャンして上記商品をショッピングカートに入れる。ユーザーは表示画面を操作することもでき、例えば、「人気商品」の機能項目をタッチして選択し、又は検索機能を利用して商品を検索し、リストアップされた各商品には同様にスキャン可能な商品バーコードが付いている。ユーザーは選択を完了した後、ショッピングアプリケーションにおいて精算作業を行い、支払い方法及び商品受け取り方法を選択し、商品在庫があるか予約購入するかにかかわらず、ショッピングアプリケーションにおいて購入手続きを完了できる。
【００２９】
本考案は、複数のディスプレイラックを含んでもよい。本考案の他の実施例の斜視図である図４と同実施例のブロック図である図５を同時に参照されたい。各ディスプレイラック１２上にはそれぞれ、画像取込装置１４、コントローラー１６及び表示画面１８を含み、さらに中間台２２を設け、中間台２２上にはレジスターホスト２４を設け、レジスターホスト２４は少なくとも１つの後端サーバー２０に信号的接続される。
【００３０】
本考案は、ユーザーが上述した図３のフローチャートに沿ってモバイルデバイスによるショッピングを行うことができるだけでなく、ユーザーは、モバイルデバイスを携帯していない場合、レジスターホスト２４を操作して購入又は予約購入を行うこともできる。レジスターホスト２４は、タッチパネル式ホスト又は一般的なコンピューターホストであり、レジスターホスト２４には、商品パッケージの二次元バーコードをスキャンしてレジスターホスト２４に入力するのに用いられるスキャナー（図中未表示）が含まれる。レジスターホスト２４上にはさらに、精算金額を表示するのに用いられる表示装置２６が設置される。
【００３１】
図６は本考案の画像識別機能を備えてマルチメディアショッピング機能を組み合わせたディスプレイシステムの実施例の応用フローチャートである。同図と図３のステップＳ１０からステップＳ１６はいずれも同じである。ステップＳ１０では、表示画面前を通りかかった、又はそこで立ち止まったユーザーの顔画像を画像取込装置がスキャンし、ステップＳ１２では、コントローラーが上記顔画像を受信するとともに顔認識を行い、例えば顔画像の特徴点を探し出し、その人が男性か女性か、どの年齢層に属するかを判断する。続いてステップＳ１４では、コントローラーが少なくとも１つの設定条件に基づき複数の商品広告の中から顔画像と適合する商品広告を検索し、ステップＳ１６では、表示画面により顔画像に適合した上記商品広告及び対応する商品バーコードを表示する。
【００３２】
この時点で、ユーザーがモバイルデバイスを携帯していな場合、またはモバイルデバイスにショッピングアプリケーションがインストールされていない場合は、図３とは異なるステップに進む。ステップＳ２０で述べるように、ユーザーは商品を中間台２２に持っていき、直接レジスターホスト２４を操作して購入又は予約購入を行うことができる。ユーザーがスキャナーを用いて商品パッケージ上の二次元バーコードをスキャンすると、商品情報がレジスターホスト２４に入力され、表示装置２６上に商品金額が表示される。ユーザーが購入したい商品を全てスキャンした後、精算を選択すると、商品金額を合計した精算金額が表示装置２６上に表示され、ユーザーはそれを確認した後、同様にレジスターホスト２４上で支払い方法及び商品受け取り方法を選択し、商品在庫があるか予約購入するかにかかわらず、レジスターホスト２４上で購入又は予約購入を行うことができる。
【００３３】
本考案の実施例では、コントローラーは、インターネットを通じて後端サーバーと信号的接続され、ユーザーの顔画像から認識された特徴、適合した商品広告及びユーザーの購入記録等の情報を後端サーバーに伝送し、統計及びビッグデータ分析を行う。
【００３４】
上述の記載は本考案の好ましい実施例の説明に過ぎず、本考案の実施範囲を限定するものではない。したがって、本考案の実用新案登録請求の範囲に記載された特徴及び精神に基づく均等な変更や潤色は全て、本考案の実用新案登録請求の範囲内に含まれる。
【符号の説明】
【００３５】
１０  画像識別機能を備えてマルチメディアショッピング機能を組み合わせたディスプレイシステム
１２  ディスプレイラック
１４  画像取込装置  
１６  コントローラー  
１８  表示画面
１９  スピーカー
２０  後端サーバー
２２  中間台
２４  レジスターホスト
２６  表示装置
【図１】
0003215597.tif 000003
【図２】
0003215597.tif 000004
【図３】
0003215597.tif 000005
【図４】
0003215597.tif 000006
【図５】
0003215597.tif 000007
【図６】
0003215597.tif 000008